(57)【要約】【課題】  脚部の長さに応じて希望する位置にサブユニットを位置合わせして、少なくとも膝関節の周囲を確実にマッサージできるフットマッサージャーを提供する。【解決手段】  ふくらはぎ及び足先を挿入可能な左右一対の凹部２２を有する本体ユニット２０と、本体ユニットの上方に位置して本体ユニットに対して接近離反可能に支持され、左右一対の凹部４２を有するサブユニット４０とを具え、前記凹部２２、４２の両側面に、夫々これら凹部に挿入した被施療部位を側面から押圧するエアバッグ３２、３３、３５が配設され、本体ユニットの凹部２２に配設したエアバッグ３２、３３の上端を凹部２２の上端より上方へ突出させる。そして、凹部２２に配設したエアバッグ３２、３３の上端を、サブユニットが本体ユニットに接近した状態において、凹部４２に配設したエアバッグ３５の下端と重なるようにした。【選択図】図４
2012157429.tif 000002
【特許請求の範囲】
【請求項１】
被施療者のふくらはぎ及び足先を挿入可能な左右一対の凹部の形成された本体ケーシングを有する本体ユニットと、
本体ユニットの上方に位置して本体ケーシングに支持されるサブケーシングと、該サブケーシングに形成された左右一対の凹部を有するサブユニットと、
を具えたフットマッサージャーであって、
本体ケーシングに対してサブケーシングは接近離反可能に支持されており、
本体ケーシングの前記凹部の両側面、及びサブケーシングの前記凹部の両側面に、夫々これら凹部に挿入した被施療部位を側面から押圧するエアバッグが配設されており、
本体ケーシングの凹部に配設したエアバッグの上端を該凹部の上端より上方へ突出させたことを特徴とするフットマッサージャー。
【請求項２】
前記本体ケーシングの凹部に配設したエアバッグの上端を、サブケーシングが本体ケーシングに接近した状態において、サブケーシングの凹部に配設したエアバッグの下端と重なるようにした請求項1に記載のフットマッサージャー。
【請求項３】
サブケーシングの凹部の左右の幅を本体ケーシングの凹部の左右の幅よりも広くして、サブケーシング側の前記エアバッグの下端が、本体ケーシング側の前記エアバッグの上端の下側に重なるようにした請求項２に記載のフットマッサージャー。
【請求項４】
本体ケーシングに対してサブケーシングを上下方向にスライド可能に連繋するスライド機構を有し、サブケーシングを上方へスライドすることにより本体ケーシングから離反させ、下方へスライドすることにより本体ケーシングに接近させるもので、スライド機構は、サブケーシングを前後方向に平行な面内で回動可能に支持する請求項１乃至請求項３の何れかに記載のフットマッサージャー。
【請求項５】
床面に載置されるベースを有し、本体ケーシングは、ベースに対して、前後方向に平行な面内でリクライニングさせるリクライニング機構を介して接続される請求項１乃至請求項４の何れかに記載のフットマッサージャー。
【発明の詳細な説明】
【技術分野】
【０００１】
本発明は、被施療者の脚部、具体的には、被施療者の膝から下と、少なくとも膝関節周囲をマッサージすることのできるフットマッサージャーに関するものである。
【背景技術】
【０００２】
被施療者の脚部をマッサージするフットマッサージャーが知られている。この種フットマッサージャーとして、被施療者のふくらはぎと足先(くるぶしより下)を挿入する左右一対の凹部を有し、該凹部にエアバッグ等のマッサージ手段を配備したものが提案されており、マッサージ手段を作動させることで、被施療者のふくらはぎと足先にマッサージを施す。
【０００３】
また、被施療者のふくらはぎ及び足先に加えて、被施療者の大腿をマッサージできるようにしたフットマッサージャーも提案されている(例えば、特許文献１参照)。
【０００４】
特許文献１のフットマッサージャーは、ふくらはぎ及び足先を挿入する凹部を具えた本体ユニットと、該本体ユニットの上端に前後方向に平行な面内で回動可能に配備された凹部を具えたサブユニットを有しており、サブユニットを前方に回動させたときには、膝関節の周囲のマッサージを施すことができ、後方にサブユニットを回動させたときには、サブユニットの凹部で大腿のマッサージを施すことができる。
【先行技術文献】
【特許文献】
【０００５】
【特許文献１】中国実用新案公告第２０１３４２０７７号
【発明の開示】
【発明が解決しようとする課題】
【０００６】
特許文献１では、本体ユニットに対してサブユニットを単に前後に回動させるだけなので、脚部の長さに応じて希望する位置にサブユニットを位置合わせすることができず、効果の高いマッサージを施すことは困難であった。
【０００７】
また、例えばサブユニットを後方に回動した場合、本体ユニットとサブユニットの間に空間が生じ、この空間の部分は、マッサージ゛に寄与できないという問題がある。特に膝関節の周囲がマッサージできない。
【０００８】
本発明の目的は、脚部の長さに応じて希望する位置にサブユニットを位置合わせすることができ、少なくとも膝関節の周囲を確実にマッサージできるフットマッサージャーを提供することである。
【課題を解決するための手段】
【０００９】
上記課題を解決するために、本願発明のフットマッサージャーは、
被施療者のふくらはぎ及び足先を挿入可能な左右一対の凹部の形成された本体ケーシングを有する本体ユニットと、
本体ユニットの上方に位置して本体ケーシングに支持されるサブケーシングと、該サブケーシングに形成された左右一対の凹部を有するサブユニットと、
を具えたフットマッサージャーであって、
本体ケーシングに対してサブケーシングは接近離反可能に支持されており、
本体ケーシングの前記凹部の両側面、及びサブケーシングの前記凹部の両側面に、夫々これら凹部に挿入した被施療部位を側面から押圧するエアバッグが配設されており、
本体ケーシングの凹部に配設したエアバッグの上端を該凹部の上端より上方へ突出させたものである。
【００１０】
ここで、前記本体ケーシングの凹部に配設したエアバッグの上端を、サブケーシングが本体ケーシングに接近した状態において、サブケーシングの凹部に配設したエアバッグの下端と重なるようにすることが好ましい。
【００１１】
さらに、サブケーシングの凹部の左右の幅を本体ケーシングの凹部の左右の幅よりも広くして、サブケーシング側の前記エアバッグの下端が、本体ケーシング側の前記エアバッグの上端の下側に重なるようにするのが好ましい。
【００１２】
また、本体ケーシングに対してサブケーシングを上下方向にスライド可能に連繋するスライド機構を有し、サブケーシングを上方へスライドすることにより本体ケーシングから離反させ、下方へスライドすることにより本体ケーシングに接近させるようにし、スライド機構は、サブケーシングを前後方向に平行な面内で回動可能に支持してもよい。
【００１３】
また、床面に載置されるベースを有し、本体ケーシングは、ベースに対して、前後方向に平行な面内でリクライニングさせるリクライニング機構を介して接続してもよい。
【発明の効果】
【００１４】
本願発明によると、本体ケーシングに対してサブケーシングは接近離反可能に支持されているので、脚部の長さに応じて希望する位置にサブケーシングを移動させることにより、本体ユニットでふくらはぎや足先をマッサージでき、またサブユニットで、脚部の長さに関係なく膝関節の周囲をマッサージできる。そしてサブケーシングを本体ケーシングに対して離反させた場合でも、本体ケーシングの凹部両側面に配設したエアバッグの上端を該凹部の上端より上方へ突出させているので、サブケーシングと本体ケーシング間に生ずる空間を実質的に縮小して、マッサージに寄与できる範囲を拡大することができる。
【００１５】
また、本体ケーシングの凹部に配設したエアバッグの上端を、サブケーシングが本体ケーシングに接近した状態において、サブケーシングの凹部に配設したエアバッグの下端と重なるようにすれば、エアバッグの上端、下端という、エアバッグの膨張度合いの小さな端部同士が重なり合って、この部分でのエアバッグの膨張をエアバッグの中央部と変わらない膨張度合いにすることができ、エアバッグ全体に亘って、均等な押圧力を被施療部位に与えることができる。
【００１６】
また、サブケーシングの凹部の左右の幅を本体ケーシングの凹部の左右の幅よりも広くして、サブケーシング側の前記エアバッグの下端が、本体ケーシング側の前記エアバッグの上端の下側に重なるようにすれば、エアバッグ゛同士が上下方向の動きに対して干渉することがないので、エアバッグの膨張・収縮にかかわらず、サブケーシングを本体ケーシングに対してスムーズに接近離反させることができる。
【００１７】
また、本体ケーシングに対してサブケーシングを上下方向にスライド可能に連繋するスライド機構により、サブケーシングを本体ケーシングに対して接近・離反させるようにし、スライド機構は、サブケーシングを前後方向に平行な面内で回動可能に支持すれば、脚の長さに応じてサブケーシングの上下方向の位置を調整した上で、後方へ回動させることにより、大腿をマッサージすることが可能になる。
【００１８】
また、床面に載置されるベースを有し、本体ケーシングは、ベースに対して、前後方向に平行な面内でリクライニングさせるようにすれば、本体ケーシングを後方へ倒すことにより、寝転んだ状態でも脚部のマッサージが可能になる。
【図面の簡単な説明】
【００１９】
【図１】本発明のベースとなるフットマッサージャーを斜め前方から見た斜視図である。
【図２】図１の状態のフットマッサージャーを後方から見た斜視図である。
【図３】図２の状態からサブユニットを本体ユニットから離反させた状態の斜視図である。
【図４】本発明のフットマッサージャーの正面図である。
【図５】図４の状態のフットマッサージャーの側面図で、被施療者がマッサージを受けている状態を示す。
【図６】図４の状態からサブユニットを本体ユニットから離反させた状態の正面図である。
【図７】図６の状態のフットマッサージャーの側面図で、被施療者がマッサージを受けている状態を示す。
【図８】本発明と比較するためのフットマッサージャーの正面図である。
【図９】図８の状態のフットマッサージャーの側面図で、被施療者がマッサージを受けている状態を示す。
【図１０】（ａ）は、小柄な被施療者、（ｂ）は大柄な被施療者が、サブユニットを後方へ回動させて大腿をマッサージしている状態を示す説明図である。
【図１１】（ａ）は、小柄な被施療者、（ｂ）は大柄な被施療者が、本体ユニットを後方へリクライニングさせてマッサージを受けている状態を示す説明図である。
【図１２】本発明の他の実施例のフットマッサージャーを示す斜視図である。
【発明を実施するための形態】
【００２０】
図１乃至図３は、本発明のベースとなるフットマッサージャー１０を示している。
【００２１】
フットマッサージジャー１０は、床面に載置されるベース１１に被施療者の足先とふくらはぎをマッサージする本体ユニット２０を搭載し、該本体ユニット２０の上端にサブユニット４０を本体ユニット２０に対して接近離反可能に支持したものである。
【００２２】
本発明において、脚部Ｌとは、被施療者の下肢全体を意味し、大腿とは脚部の膝よりも上の部分、膝関節とは膝の屈曲部分及びその周辺、ふくらはぎとは膝と足首の間であって、脛の裏側部分、足先とはくるぶしよりも下の部分を意味する。
【００２３】
ベース１１は、内部中空の樹脂製のベースケーシング１２から形成され、上部にて本体ユニット２０を支持し、下面にて安定してフットマッサージャー１０を床面に載置する。
ベースケーシング１２の内部には、エアポンプ、制御手段、商用電源へ接続するための電源ユニット等が収容される。
【００２４】
本体ユニット２０は、ベース１１上に載置される。本体ユニット２０は、内部中空の樹脂製の本体ケーシング２１を有している。本体ケーシング２１は、ベース１１に対して、固定して配備してもよいし、後部上端が後方に向けて倒れる方向にリクライニング可能に配備することもできる。実施例では、リクライニング方式で、図２に示すように本体ケーシング２１の後面には、弧状にガイドレール２８が形成され、このガイドレール２８上をベース１１に設けたローラ(図示せず)が転動して、リクライニングできる構成になっている。このリクライニング機構には、本体ケーシング２１を任意の位置で静止させるためにロック機構（図示せず）が具えられている。
【００２５】
本体ケーシング２１は、図１及び図２に示すように、下側が前方に向けて突出し、後側が上向きに突出している。本体ケーシング２１には、被施療者の足先及びふくらはぎを挿入する左右一対の凹部２２、２２が形成されている。各凹部２２は、図１に示すように、本体ケーシング２１がベース１１に対してほぼ垂直に立設した状態で、底面２３が床面とほぼ平行となり、底面２３の後端から上方に向けてほぼ垂直に後面２４を有し、底面２３と後面２４の側部を結ぶように内側面２５と外側面２６を有しており、前方及び上方が開口した形状を例示できる。
【００２６】
本体ユニット２０に被施療者が足を挿入したときに、各凹部２２の底面２３には、被施療者の足裏が当接し、後面２４にはふくらはぎが当接し、内側面２５及び外側面２６には、ふくらはぎの内側及び外側が夫々当接する。
【００２７】
各凹部２２の底面２３には、被施療者の足裏をマッサージする足裏用マッサージ手段３０（図１０参照）を具える。足裏用マッサージ手段３０は、底面２３から出没可能な指圧子(図示せず)を例示できる。指圧子は、本体ケーシング２１の内部に配備されたモータ(図示せず)により、ネジ推力等を利用して前後に往復移動可能なエアバッグ(図示せず)の上面に形成することができる。エアバッグを膨張、収縮させながら、モータにより前後に指圧子を往復させることで、被施療者の足裏に押圧又は指圧マッサージが施される。
【００２８】
各凹部２２の後面２４には、膨張・収縮し、被施療者のふくらはぎをマッサージする、ふくらはぎ用後面エアバッグ（図示せず）が配備される。各凹部２２の内側面２５及び外側面２６には、被施療者のふくらはぎの側部をマッサージする、ふくらはぎ用の内側エアバッグ３２と外側エアバッグ３３が夫々配備される。これらエアバッグ３２、３３については、図４乃至図７に基づいて、後で詳述する。
【００２９】
本体ケーシング２１の上部には、サブユニット４０が本体ケーシング２１に対して接近離反可能に配備される。図示の実施例では、サブユニット４０は、本体ケーシング２１に対して上下方向にスライドするスライド機構６０を介して、本体ケーシング２１に連結されており、スライド機構６０を上方へスライドすることにより、サブユニット４０を本体ケーシング２１から離反させ、下方へスライドすることにより本体ケーシング２１に接近させる。
【００３０】
スライド機構６０は、本体ケーシング各凹部２２の後面２４の後方に形成された縦溝２９に配備された図示しないレールに、上下スライド自在に且つ任意に位置決め可能に嵌合されたスライドフレーム６１より構成される。サブユニット４０は、スライドフレーム６１の上端に、枢軸６２により前後方向に回動自在に支持されている。サブユニット４０は、スライドフレーム６１に対して、任意の回動位置で固定されるようになっている。
【００３１】
サブユニット４０は、スライドフレーム６１の上端に枢支される内部中空の樹脂製のサブケーシング４１を有しており、該サブケーシング４１には、左右一対の凹部４２、４２が形成されている。両凹部４２、４２は中央壁４４で仕切られており、この中央壁４４に、被施療者がフットマッサージジャー１０を操作する操作部６５が設けられている。
【００３２】
各凹部４２の左右両側面には、膨張・収縮するサブ用側面エアバッグ３５、３５が配備され、この側面エアバッグ３５、３５が膨張することにより、凹部４２に挿入されるふくらはぎの上部側面や膝関節の周囲、あるいは大腿を側面から押圧してマッサージする。
【００３３】
各凹部４２には、前記側面エアバッグ３５の他に、凹部４２の左右両側面を連結する凹部４２の底面にも、エアバッグ等のマッサージ手段を配備してもよい。
【００３４】
なお、本体ユニット２０とサブユニット４０の凹部２２、４２には、実際にはエアバッグ３２、３３、３５を覆う布カバーが設けられている。
【００３５】
ところで本発明のフットマッサージャー１０では、本体ユニット２０の各凹部２２の内側面２５及び外側面２６に配備された内側エアバッグ３２と外側エアバッグ３３、及び、サブユニット４０の各凹部４２の左右両側面に配備されたサブ用側面エアバッグ３５、３５の関係は、図４乃至図７で示すようになっている。
【００３６】
図４乃至図７に基づいて説明すると、本体ユニット２０の各凹部２２の内側面２５及び外側面２６に配備された内側エアバッグ３２と外側エアバッグ３３の上端は、各凹部２２の上端より図のように上方へ突出３２Ａ、３３Ａしている。そしてこの突出部３２Ａ、３３Ａが、図４、図５のように、サブユニット４０が本体ユニット２０に接近した状態において、サブユニット４０のサブ用側面エアバッグ３５、３５の下端と重なるようになっている。
【００３７】
この重なり方は、サブケーシングの凹部４２の左右の幅が、本体ケーシングの凹部２２の左右の幅よりも、この中に挿入される被施療部位の関係上（凹部４２は幅の比較的広い膝関節周囲から大腿部、凹部２２は幅の比較的狭い膝から下の部分）広くなっているので、サブ用側面エアバッグ３５、３５の下端が、本体ユニット側の内外両エアバッグ３２、３３の上端突出部３２Ａ、３３Ａの下側に重なるようなっている。
【００３８】
図４や図６で、左半分は、各エアバッグ３２、３３、３５、３５が収縮した状態を示し、右半分は、各エアバッグ３２、３３、３５、３５が膨張した状態を示している。
【００３９】
上記構成のフットマッサージジャー１０は、被施療者が椅子等に腰掛けた状態で、脚部Ｌを挿入することにより使用する。
【００４０】
具体的には、被施療者は、図２、図４、図５に示すように、本体ユニット２０に対してサブユニット４０が最も接近した状態で、本体ユニット２０の各凹部２２に左右の脚部Ｌの足先及びふくらはぎを挿入し、サブユニット４０の各凹部４２に膝関節の周囲及び／又はふくらはぎの上部を挿入する。
【００４１】
この状態で、操作部６５を操作して、被施療者が所望する足裏用マッサージ手段３０や各エアバッグ３２、３３、３５等を作動させ、又は予めプログラムされたコースに従って足裏用マッサージ手段３０や各エアバッグ３２、３３、３５等を作動させることにより、足裏を含む足先やふくらはぎ、膝関節の周囲及び／又はふくらはぎの上部にマッサージを施すことができる。
【００４２】
具体的には、ふくらはぎ用の内側エアバッグ３２と外側エアバッグ３３を膨張させつつ、足裏用マッサージ手段３０を作動させることにより、被施療者の足裏に指圧の如き押圧マッサージが施される。
【００４３】
また、ふくらはぎ用の内側エアバッグ３２と外側エアバッグ３３を膨張させることにより、ふくらはぎが側方から押圧され、これらエアバッグ３２、３３の膨張、収縮を繰り返すことで、ふくらはぎの血行を促進させることができる。
【００４４】
また、これらエアバッグ３２、３３を交互に膨張、収縮させることにより、ふくらはぎを左右に動かすストレッチ効果のあるマッサージを施すことができる。
【００４５】
ふくらはぎ用の内側エアバッグ３２と外側エアバッグ３３を膨張させた状態で、ふくらはぎ用後面エアバッグ（図示せず)を膨張させることで、ふくらはぎの血行の促進を図ることができる。
【００４６】
さらに、サブユニット４０のサブ用側面エアバッグ３５、３５を膨張、収縮させることにより、膝関節の周辺及び／又はふくらはぎの上部の血行を促進させることができる。
【００４７】
ここで、エアバッグ３２、３３、３５は、その上端や下端という端部は、中央部に比べて膨張度合いが小さいが、エアバッグ３２、３３の上端が、エアバッグ３５の下端と重なっているので、エアバッグの上端、下端という、エアバッグの膨張度合いの小さな端部でのエアバッグの膨張を、エアバッグの中央部と変わらない膨張度合いにすることができ、エアバッグ全体に亘って、均等な押圧力を被施療部位に与えることができる。この場合、ふくらはぎ側面上部や膝関節周囲にも充分な押圧力を与えることができる。
【００４８】
また、被施療者が大柄で脚の長い場合には、図２の状態から、図３、図６、図７に示すように、サブユニット４０を上方へ引き上げることで、スライドフレーム６１が本体ユニット２０に対して上方へスライドし、サブユニット４０を本体ユニット２０から離反させることができる。これにより、脚の長い被施療者に対してもサブユニット４０の側面エアバッグ３５により膝関節の周辺及び／又はふくらはぎの上部のマッサージを行うことができる。
【００４９】
このようにサブユニット４０を本体ユニット２０対して離反させると、サブユニット４０と本体ユニット２０の間に空間Ｋが発生するが、本体ユニット２０の凹部２２の両側面に配設した内外のエアバッグ３２、３３の上端を凹部２２の上端より上方へ突出３２Ａ、３３Ａさせているので、この突出部３２Ａ、３３Ａによって、図７に示すように、空間Ｋに位置するふくらはぎ側面を押圧することができ、サブユニット４０と本体ユニット２０間に生ずる空間Ｋを実質的に縮小して、マッサージに寄与できる範囲を拡大することができる。
【００５０】
図８、図９は、本体ユニット２０の凹部２２の両側面に配設した内外のエアバッグ３２、３３の上端が、凹部２２の上端より上方へ突出していない場合の図６、図７に対応した状態を示し、サブユニット４０と本体ユニット２０間に生ずる空間Ｋが大きくマッサージに寄与していないことを表している。
【００５１】
また、この図３、図６、図７の状態から、図２、図４、図５の状態に戻すために、サブユニット４０を押し下げる場合、サブケーシング４１の凹部４２の左右の幅を本体ケーシング２１の凹部２２の左右の幅よりも広くして、サブケーシング側の側面エアバッグ３５の下端が、本体ケーシング側の内外両エアバッグ３２、３３の上端の下側に重なっているので、エアバッグ゛３５と３２、３３同士が上下方向の動きに対して干渉することがなく、エアバッグの膨張・収縮にかかわらず、サブケーシング４１を本体ケーシング２１に対して接近させることができ、また離反させるときもスムーズに行うことができる。
【００５２】
サブユニット４０は、スライドフレーム６１に、前後方向に回動自在に支持されており、後方へ回動することにより、図１０のように、サブユニット４０を被施療者の大腿に対応させて、側面エアバッグ３５により大腿をマッサージすることができる。図１０（ａ）は小柄で脚の短い人の場合で、サブユニット４０が本体ユニット２０に接近した状態でサブユニット４０が後方へ回動されており、図１０（ｂ）は、大柄で脚の長い人の場合で、サブユニット４０が本体ユニット２０から離反した状態でサブユニット４０が後方へ回動された状態を示している。このように脚の長さに関係なく、サブユニット４０により大腿をマッサージすることができる。
【００５３】
また、本体ユニット２０は、ベース１１に対してリクライニング可能になっているので、図１１のように、本体ユニット２０を後方へリクライニングすることにより、寝転んだ状態で、マッサージすることができる。図１１（ａ）は、図１０（ａ）から本体ユニット２０を後方へリクライニングさせた状態、図１１（ｂ）は、図１０（ｂ）から本体ユニット２０を後方へリクライニングさせた状態を夫々示している。
【００５４】
なお、図１０、図１１では、本体ユニット２０のエアバッグ３２、３３の図示は省略している。
【００５５】
図１２は他の実施例を示す。上述の実施例では、サブユニット４０を本体ユニット２０に対して接近離反するのに、上下のスライド機構６０を用いたが、上下のスライド機構の代わりに、図１２に示すように、本体ユニット２０の左右側面の上部後端と、サブユニット４０の左右側面の下部前端とをアーム７０で連結し、アーム７０を本体ユニット２０に対して支点Ｐ１を中心に前後方向（矢印Ａ方向）に回動自在とし、またアーム７０に対しサブユニット４０を支点Ｐ２を中心に前後方向(矢印Ｂ方向)に回動自在とし、本体ユニット２０に対するアーム７０の回動位置、アーム７０に対するとサブユニット４０の回動位置を調整することによって、サブユニット４０を本体ユニット２０に対して接近離反する構成にしている。
【００５６】
図１２では、アーム７０が本体ユニット２０に対して後方へ回動し、サブユニット４０がアーム７０に対して前方（上方）へ回動して、大柄で脚の長い人の膝関節周辺及び大腿部の前方寄りをマッサージするところを示している。
【００５７】
以上、本発明の実施形態につき説明したが、本発明の範囲はこれに限定されるものではなく、発明の主旨を逸脱しない範囲で種々の変更を加えて実施することができる。
【産業上の利用可能性】
【００５８】
本発明はサブユニットにより膝関節の周囲や大腿をマッサージできるフットマッサージャーとして広く利用可能である。
【符号の説明】
【００５９】
１０  フットマッサージャー
１１  ベース
２０  本体ユニット
２１  本体ケーシング
２２  本体ユニット側の凹部
３２  本体ユニット側の内側エアバッグ
３３  本体ユニット側の外側エアバッグ
３２Ａ  突出部
３３Ａ  突出部
３５  サブユニット側の側面エアバッグ
４０  サブユニット
４１  サブケーシング
４２  サブユニット側の凹部
６０  スライド機構
６１  スライドフレーム
【図１】
2012157429.tif 000003
【図２】
2012157429.tif 000004
【図３】
2012157429.tif 000005
【図４】
2012157429.tif 000006
【図５】
2012157429.tif 000007
【図６】
2012157429.tif 000008
【図７】
2012157429.tif 000009
【図８】
2012157429.tif 000010
【図９】
2012157429.tif 000011
【図１０】
2012157429.tif 000012
【図１１】
2012157429.tif 000013
【図１２】
2012157429.tif 000014